(57)【要約】      （修正有）【課題】足囲に比してワイズが大きい婦人靴であっても、履き心地よくフィットさせることができるサイズ調整用パッドを提供する。【解決手段】甲革部１１を備えた婦人靴１０に取付けられるサイズ調整用パッド１として構成される。サイズ調整用パッド１は可撓性を備えた所定厚さのシートから形成し、その裏面に線状の溝を２本形成する。これらの２本の溝によって２箇所が谷折りされ、底面部１５と一対の側面部１６、１７とが形成される。このサイズ調整用パッド１を谷折りして甲革部１１に挿入し内部で広げると、底面部１５が中敷き１９に、そして一対の側面部１６、１７が甲革部１１内の両側面にそれぞれ密着した状態で装着される。サイズ調整用パッド１のシート厚さは２ｍｍが好ましい。【選択図】図２
0003228434.tif 000002
【実用新案登録請求の範囲】
【請求項１】
甲革部を備えた婦人靴に取付けられるサイズ調整用パッドであって、
前記サイズ調整用パッドは、可撓性を備えた所定厚さのシートから形成され、その裏面に線状の溝が２本形成され、それによって２箇所が谷折りされて底面部と一対の側面部とが形成されるようになっており、
前記サイズ調整用パッドを谷折りして前記甲革部に挿入し、前記甲革部内で広げると、前記底面部が中敷きに、そして一対の側面部が前記甲革部内の両側面にそれぞれ密着した状態で装着されるようになっていることを特徴とする、婦人靴のサイズ調整用パッド。
【請求項２】
請求項１に記載のサイズ調整用パッドにおいて、前記シートの厚さは２ｍｍになっていることを特徴とする、婦人靴のサイズ調整用パッド。
【考案の詳細な説明】
【技術分野】
【０００１】
本考案は、パンプス、ローファ、ミュール等の婦人靴に後付けで取付けられる中敷き、あるいはパッドに関するものである。
【背景技術】
【０００２】
婦人靴にはパンプス、ローファ、ミュール等色々な種類があり、好みにより、あるいはＴＰＯに合わせて適宜選択されている。パンプスとローファは、いずれも足指とその近傍の足の先端を覆ういわゆる甲革部と、足の側面を覆う両方の側部と、踵を覆うヒールカップ部と、踵の下に設けられているヒール部とからなり、パンプスの場合にはヒール部が高くスタイリッシュになっているのに対してローファはヒール部は低く歩きやすくなっている。一方、ミュールは甲革部は備えているが側部、ヒールカップ部は備えていない。婦人靴は、足のサイズすなわち足長に応じて予め異なる複数のサイズが用意されており、購入者は自分の足長に応じて婦人靴を選択することができるようになっている。しかしながら足の形には個人差があり、足長だけで靴を婦人靴を選択すると窮屈に感じたり、緩すぎる場合がある。これは足囲すなわち足指の付け根近傍における周囲長さ、あるいは足幅すなわち足指の付け根近傍における幅が異なるからである。そこで婦人靴には甲革部の大きさによって予め、Ａ、Ｂ、Ｃ、Ｄ、Ｅ、２Ｅ、３Ｅ、４Ｅ、Ｆ、Ｇからなるワイズが表記されている。ワイズは、１段階大きくなる毎に６ｍｍずつ周囲長さが大きくなるようになっており、購入者は自分の足囲に対応したワイズの靴を選択することができるようになっている。
【先行技術文献】
【特許文献】
【０００３】
【特許文献１】特開２０１９−１５０２７５号公報
【特許文献２】特開２００８−１９４０７９号公報
【０００４】
婦人靴には後付けで設けられる中敷き、あるいはパッド等があり、色々なものがある。例えば、足裏全体の広さのシートからなる中敷きは従来周知であり、婦人靴にもともと設けられている中敷きの上に敷くようになっている。このような従来の中敷きは履き心地を改善したり、消臭効果が得られる。他の用途の中敷き、あるいはパッドも色々あり、例えば特許文献１、２において提案されている。特許文献１にはパンプス用インソールが記載されているが、このインソールは踵近傍において足を包む踵支持部を備えている。従って、このインソールを装着したパンプスを履くと、利用者の足はつま先が前方にずれにくく、疲れにくい。特許文献２には婦人靴に限定されてはいないが、婦人靴のローファに適用できる中敷きが記載されている。この中敷きには、内側翼片部と外側翼片部とが設けられ、これら翼片部は、ローファにおいて足の側面を覆う両方の側部に接着されるようになっている。さらにこれら翼片部には適宜パッドを取り付けることができるようになっているので、足が傾いた状態で歩行する癖のある利用者に対して、足の異常な傾きを矯正して、正しい姿勢で歩くことができるようになっている。
【考案の概要】
【考案が解決しようとする課題】
【０００５】
従来の婦人靴は足長に応じて色々なサイズが用意されているし、ワイズの表記が付されているので、購入者は自分の足のサイズに応じて適切な靴を選択できるはずである。しかしながら、解決すべき課題も見受けられる。婦人靴には色々なデザインのものが提供されているが、それぞれのデザインの婦人靴毎に全てサイズと全てのワイズとが提供されているとは限らないという事情がある。サイズに関しては比較的色々なサイズが用意されていて選択の範囲は広い。しかしながらワイズに関しては特定のもの、例えば２Ｅ等しか用意されていない場合が多い。そうすると、デザインを気に入ったとしても、そして足長に適したサイズがあったとしても、適合するワイズがないと婦人靴を購入することはできない。ところで足囲に比して婦人靴のワイズが若干大きい場合には、従来の足裏の大きさの中敷きを敷けばある程度は履き心地を改善することができる。中敷きのシート厚さの分だけ見かけ上の足囲が大きくなるからである。しかしながら、足囲に比して１段階もワイズが大きい場合には、中敷きのを厚くして対応する場合には中敷きの厚さは６ｍｍ必要になる。しかしながら、このように厚い中敷きは履き心地に悪影響を与えるし、履いたときに婦人靴の形状が変形してしまうので現実的ではない。一方特許文献１、２に記載の中敷きは、優れた効果は備えてはいるが、婦人靴のワイズが足囲に適合しない問題とはそもそも関係がない。つまりこの問題に対しては対応できない。
【０００６】
本考案は、上記したような従来の問題を解決した、婦人靴のサイズ調整用パッドを提供することを目的としており、具体的には、足囲に比してワイズが大きい婦人靴であっても、履き心地よくフィットさせることができ、これによって購入者の婦人靴の選択の範囲を大きくすることができる、婦人靴のサイズ調整用パッドを提供することを目的としている。
【課題を解決するための手段】
【０００７】
本考案は、上記目的を達成するために、甲革部を備えた婦人靴に取付けられるサイズ調整用パッドとして構成される。サイズ調整用パッドは可撓性を備えた所定厚さのシートから形成し、その裏面に線状の溝を２本形成する。このサイズ調整パッドは、これらの２本の溝によって２箇所が谷折りされるようになっており、谷折りすると底面部と一対の側面部とが形成される。このサイズ調整用パッドを谷折りして甲革部に挿入し、甲革部内で広げると、底面部が中敷きに、そして一対の側面部が甲革部内の両側面にそれぞれ密着した状態で装着される。なお、サイズ調整用パッドは、シート厚さが２ｍｍになっているものが好ましい。
【０００８】
すなわち本考案は、甲革部を備えた婦人靴に取付けられるサイズ調整用パッドであって、前記サイズ調整用パッドは、可撓性を備えた所定厚さのシートから形成され、その裏面に線状の溝が２本形成され、それによって２箇所が谷折りされて底面部と一対の側面部とが形成されるようになっており、前記サイズ調整用パッドを谷折りして前記甲革部に挿入し、前記甲革部内で広げると、前記底面部が中敷きに、そして一対の側面部が前記甲革部内の両側面にそれぞれ密着した状態で装着されるようになっていることを特徴とする、婦人靴のサイズ調整用パッドとして構成される。
請求項２に記載の考案は、請求項１に記載のサイズ調整用パッドにおいて、前記シートの厚さは２ｍｍになっていることを特徴とする、婦人靴のサイズ調整用パッドとして構成される。
【考案の効果】
【０００９】
以上のように、本考案によると、甲革部を備えた婦人靴に取付けられるサイズ調整用パッドとして構成される。そしてサイズ調整用パッドは、可撓性を備えた所定厚さのシートから形成され、その裏面に線状の溝が２本形成され、それによって２箇所が谷折りされて底面部と一対の側面部とが形成されるようになっている。そして本考案によるとサイズ調整用パッドを谷折りして甲革部に挿入し、甲革部内で広げると、底面部が中敷きに、そして一対の側面部が甲革部内の両側面にそれぞれ密着した状態で装着されるようになっている。そうすると、甲革部内は底面部と一対の側面部の分だけ内部が狭くなる。つまりシート厚さの３倍分だけ甲革部の内周長さが短くなり、婦人靴のワイズが、表示されているワイズより実質的に小さくなる効果が得られる。このことは次のように考えると理解できる。つまり、サイズ調整用パッドが装着された婦人靴において、甲革部に足の先端部を挿入すると、足裏が底面部に、そして親指の付け根の側部と小指の付け根の側部とが一対の側面部に密着することになる。そうすると、足の先端部における大きさが、足裏と親指の付け根の側部と小指の付け根の側部とにおいてシート厚さだけ見かけ上大きくなる。つまり、足の足囲がシート厚さの３倍だけ大きくなる。これによってワイズの大きい婦人靴であっても、履き心地よくフィットすることになる。請求項２に記載の考案によると、シートの厚さは２ｍｍになっている。そうすると、サイズ調整用パッドが装着された婦人靴は甲革部の内周長さが６ｍｍ短くなる。つまり、実質的にワイズが１段階小さくなる効果が得られる。これによって足囲に比して１段階大きいワイズの婦人靴であっても、快適に履くことが可能になり、婦人靴の選択の範囲が大きくなる効果が得られる。
【図面の簡単な説明】
【００１０】
【図１】本考案の実施正面図、の形態に係るサイズ調整用パッドを示す図で、その（Ａ）、（Ｂ）はそれぞれサイズ調整用パッドの正面図と背面図、その（Ｃ）は（Ａ）におけるＸ−Ｘ断面で示すサイズ調整用パッドの側面断面図である。
【図２】本考案の実施の形態に係るサイズ調整用パッドを市販のパンプスに取付ける方法を説明する図で、その（Ａ）、（Ｂ）は、パンプスにサイズ調整用パッドを取付ける各工程を示すパンプスの斜視図であり、その（Ｃ）、（Ｄ）はそれぞれ（Ａ）、（Ｂ）におけるＹ−Ｙ断面、Ｚ−Ｚ断面で示す、パンプスの正面断面図である。
【考案を実施するための形態】
【００１１】
以下、本考案の実施の形態に係る婦人靴用のサイズ調整用パッド１について説明する。本実施の形態に係るサイズ調整用パッド１は市販の婦人靴、例えばパンプスに対して後付けで取付けるためのものであり、図１の（Ａ）〜（Ｃ）に示されている。サイズ調整用パッド１は、所定厚さのシートから形成されている。本実施の形態においてはこのシートは２層構造からなり、表面シート３はポリエステルの不織布から、そして裏面シート４は発泡ポリウレタンからなる。そしてシート厚さは、本実施の形態においては２ｍｍになっている。このようなシートが、１個の頂点が丸みを帯びた三角おにぎりのような形状に形成されている。
【００１２】
サイズ調整用パッド１は、その裏面において２本の溝６、６が形成されている。溝６、６は直線状になっていてもよいし、わずかに湾曲した曲線状になっていてもいいが、これらの溝６、６同士の間隔は一方において広く、他方において狭くなっている。このような溝６、６が形成されているので、サイズ調整用パッド１は表面側において符号８、８で示されている２箇所において谷折り可能になっている。谷折りすると、サイズ調整用パッド１は底面部１５と、一対の側面部１６、１７とが形成されるようになっている。なお、裏面に形成されているこれらの溝６、６は、溝の深さはわずかであるが、溝幅は２ｍｍ程度になっているので、谷折りされる符号８、８の位置は、左右方向に１〜２ｍｍ程度ずらすことが可能になっている。サイズ調整用パッド１は、どのようなワイズの婦人靴であても装着できるようになっているが、このようにできるのは、谷折りされる位置８、８を若干左右にずらすことができるからである。
【００１３】
サイズ調整用パッド１は、本実施の形態においては裏面において符号９で示されているようにその周囲がすき加工されている。つまりシート厚さが外方に向かって薄くなるように加工されている。このように加工されているので、サイズ調整用パッド１が装着された婦人靴を履いても、サイズ調整用パッド１の段差を感じることがなく、履き心地に影響を与えないようになっている。
【００１４】
本実施の形態に係るサイズ調整用パッド１を、図２の（Ａ）に示されているようにして、婦人靴１０に装着する。すなわちサイズ調整用パッド１を符号８、８において山折りし、小さく折りたたんだ状態で婦人靴１０の甲革部１１に挿入する。挿入したら甲革部１１内で押し広げる。そうすると婦人靴１０の甲革部１１内において、サイズ調整用パッド１の底面部１５と一対の側面部１６、１７は、図２の（Ｂ）、（Ｄ）に示されているように、それぞれ中敷き１９と、甲革部１１内の両側面とに密着する。図２の（Ｃ）と（Ｄ）とを比較すると容易に理解されるように、甲革部１１内にサイズ調整用パッド１が装着されると、甲革部１１内の大きさは３方向からシート厚さだけ狭くなる。つまり甲革部１１内の内周長さはシート厚さの３倍だけ小さくなる。本実施の形態に係るサイズ調整用パッド１はシート厚さが２ｍｍであるので６ｍｍ周囲長さが短くなる。つまりワイズに関して実質的に１段階小さくなる。従って、本実施の形態に係るサイズ調整用パッド１が装着されると、婦人靴１０のワイズは実質的に１段階小さくなることになり、足囲が小さい場合であっても婦人服１０を快適に履くことができる。
【００１５】
本実施の形態に係るサイズ調整用パッド１は色々は変形が可能である。まずシート厚さについては１ｍｍとすることもできるし、３ｍｍとすることもできる。さらにはシートの材料についても変形が可能であり、３層以上のシートから構成することもできるし、１層のシートから構成することもできる。また材料についても変形が可能であり、ポリエステルの不織布や発泡ポリウレタン以外の材料から構成することもできる。
【符号の説明】
【００１６】
１              サイズ調整用パッド
３              表面シート
４              裏面シート
６              溝
１０              婦人靴
１１              甲革部
１５              底面部
１６              側面部
１７              側面部
１９              中敷き
【図１】
0003228434.tif 000003
【図２】
0003228434.tif 000004